(57)【要約】【課題】描画領域中の操作が及ばない箇所に遠隔的な描画をすることが可能であるとともに、描画領域を移動させたときに、領域の移動に対して既画オブジェクトが取り残されることを防止する。【解決手段】オブジェクト生成部１０３は、入力操作部１０２の操作により、第１描画領域Ｐ１０１又は第２描画領域Ｐ１０２の一方にオブジェクト画像１０５ａの描画入力があると、第１描画領域Ｐ１０１又は第２描画領域Ｐ１０２のうちの他方において描画入力に対応する位置を求め、当該対応する位置にオブジェクト画像１０５ｂを描画する。描画領域移動部１０４は、入力操作部１０２の操作により、第２描画領域Ｐ１０２の移動指示入力があると、入力操作部１０２の操作に従って第２描画領域Ｐ１０２の位置を移動するとともに、第２描画領域Ｐ１０２の移動に伴ってオブジェクト画像１０５ｂを移動させる。【選択図】図１０
2020060829.tif 000002
【特許請求の範囲】
【請求項１】
第１描画領域と当該第１描画領域よりも小さな領域である第２描画領域とを画面に表示可能な表示部と、
前記表示部の画面上で行われる入力操作の内容を検出する入力操作検出部と、
前記入力操作検出部の検出結果に基づいて、前記第１描画領域又は前記第２描画領域の一方にオブジェクト画像の描画入力があると、前記第１描画領域又は前記第２描画領域のうちの他方において前記描画入力に対応する位置を求め、当該対応する位置にオブジェクト画像を描画するオブジェクト画像生成部と、
前記入力操作検出部の検出結果に基づいて、前記第２描画領域の移動指示入力があると、前記入力操作検出部の検出結果に従って前記第２描画領域の位置を移動するとともに、前記第２描画領域の移動に伴ってオブジェクト画像を移動させる描画領域移動部と
を備えるようにした映像信号出力装置。
【請求項２】
前記表示部は、表示画像用のメモリである第１画像メモリの画像と、オブジェクト画像用のメモリである第２画像メモリの画像とを合成した画像を表示するようにした請求項１に記載の映像信号出力装置。
【請求項３】
前記第１画像メモリの座標系は、前記表示部の画像の座標系と関連されている請求項２に記載の映像信号出力装置。
【請求項４】
前記第２画像メモリは、前記第１画像メモリと同様の大きさ及び座標系である請求項２又は３に記載の映像信号出力装置。
【請求項５】
更に、前記第１描画領域の座標値と、前記第２描画領域の座標値との対応を示す相関関係テーブルを有し、
前記描画領域移動部は、前記相関関係テーブルを参照し、前記オブジェクト画像を移動させる
請求項１から請求項４のいずれか１項に記載の映像信号出力装置。
【請求項６】
前記オブジェクト画像生成部は、前記相関関係テーブルにより、前記第１描画領域又は前記第２描画領域のうちの他方において前記描画入力に対応する位置を求めるようにした請求項５に記載の映像信号出力装置。
【請求項７】
前記描画領域移動部は、前記入力操作検出部の検出結果に従って前記第２描画領域の位置を移動した場合に、当該第２描画領域の移動量及び移動方向に応じて、前記相関関係テーブルを較正するようにした請求項５に記載の映像信号出力装置。
【請求項８】
第１描画領域と当該第１描画領域よりも小さな領域である第２描画領域とからなる表示画面を生成する工程と、
入力操作検出部の検出結果に基づいて、前記第１描画領域又は前記第２描画領域の一方にオブジェクト画像の描画入力があると、前記第１描画領域又は前記第２描画領域のうちの他方において前記描画入力に対応する位置を求め、当該対応する位置にオブジェクト画像を描画する工程と、
前記入力操作検出部の検出結果に基づいて、前記第２描画領域の移動指示入力があると、前記入力操作検出部の検出結果に従って前記第２描画領域の位置を移動するとともに、前記第２描画領域の移動に伴ってオブジェクト画像を移動させる工程と
を含むようにした映像信号出力方法。
【発明の詳細な説明】
【技術分野】
【０００１】
本発明は、映像信号出力装置及び映像信号出力方法に関する。
【背景技術】
【０００２】
プロジェクタの投写面及び投写画像に対して、例えば電子ペン等を用いた特定の操作を行い、投写面を電子黒板のように扱うことが可能な技術が知られている。特定の操作は、プロジェクタが投写する画像の画像メモリに直接及ぶことは一般的でなく、例えば、投写画像用の画像メモリの画素数(縦×横)と同一のスケールとなるオブジェクト用の画像メモリを作成し、投写画像用の画像メモリ上の画像データにオブジェクト画像用の画像メモリの画像データを重畳した合成画像データを生成している。なお、オブジェクト画像用の画像メモリの画像データは、描画レイヤ又はコンテキストレイヤの画像データなどと称されている。
【０００３】
投写画像用の画像データとオブジェクト用の画像データとの合成画像データの内、ユーザの描画操作は、描画レイヤ（又はコンテキストレイヤ）に対して操作を行うことが一般的である。スクリーンに対する電子ペンのタッチ、スライス操作により、この操作を検出した座標を取得したプロジェクタの画像処理部が、画像データのコンテキストレイヤにおいて該当する座標値のピクセルに表示データを生成することで、あたかもペンで線を引いたような描画が可能となる。
【０００４】
また、特許文献１には、大型の表示装置等において、投写面及び投写画像が、ユーザの手が届かない領域にある場合、ユーザが確実に描画可能なスケールの描画領域の投写画像を重畳させて投写し、このユーザが確実に描画可能なスケールの描画領域に描画すれば、ユーザの手が届かない箇所に遠隔的に描画することが可能であることが開示されている。
【先行技術文献】
【特許文献】
【０００５】
【特許文献１】特開２０１６−２４６４７号公報
【発明の概要】
【発明が解決しようとする課題】
【０００６】
しかしながら、特許文献１において、遠隔操作を行う描画領域の移動手段が記載されているが、例えばＰｉｎＰ（Picture In Picture）の画像データが合成画像データである場合、描画用に作成されるレイヤは１つであるため、描画領域の移動前にこの領域に描画されたオブジェクトは、描画領域を移動させても移動をしない。このため、描画領域の移動に対して既に描画したオブジェクトが取り残されるという課題がある。
【０００７】
上述の課題を鑑み、本発明は、描画領域中の操作が及ばない箇所に遠隔的な描画をすることが可能であるとともに、描画領域を移動させたときに、描画領域の移動に対して既に描画したオブジェクトが取り残されることを防止できる映像信号出力装置及び映像信号出力方法を提供することを目的とする。
【課題を解決するための手段】
【０００８】
上述の課題を解決するために、第１描画領域と当該第１描画領域よりも小さな領域である第２描画領域とを画面に表示可能な表示部と、前記表示部の画面上で行われる入力操作の内容を検出する入力操作検出部と、前記入力操作部の操作により、前記第１描画領域又は前記第２描画領域の一方にオブジェクト画像の描画入力があると、前記第１描画領域又は前記第２描画領域のうちの他方において前記描画入力に対応する位置を求め、当該対応する位置にオブジェクト画像を描画するオブジェクト画像生成部と、前記入力操作部の操作により、前記第２描画領域の移動指示入力があると、前記入力操作検出部の検出結果に従って前記第２描画領域の位置を移動するとともに、前記第２描画領域の移動に伴ってオブジェクト画像を移動させる描画領域移動部とを備える。
【０００９】
本発明の一態様に係る映像信号出力方法は、第１描画領域と当該第１描画領域よりも小さな領域である第２描画領域とからなる表示画面を生成する工程と、入力操作検出部の検出結果に基づいて、前記第１描画領域又は前記第２描画領域の一方にオブジェクト画像の描画入力があると、前記第１描画領域又は前記第２描画領域のうちの他方において前記描画入力に対応する位置を求め、当該対応する位置にオブジェクト画像を描画する工程と、前記入力操作検出部の検出結果に基づいて、前記第２描画領域の移動指示入力があると、前記入力操作検出部の検出結果に従って前記第２描画領域の位置を移動するとともに、前記第２描画領域の移動に伴ってオブジェクト画像を移動させる工程とを含む。
【発明の効果】
【００１０】
本発明によれば、大画面となる第１描画領域と小画面となる第２描画領域とからなる表示画面にオブジェクト画像を描画する場合に、第２描画領域に描画すれば、第１描画領域中の操作が及ばない箇所に遠隔的な描画をすることが可能であるとともに、第２描画領域を移動させたときに、これに伴って、描画オブジェクトを移動できる。また、本発明によれば、相関関係テーブルの活用とそれに関する処理により、一方の描画領域に対する直接的な描画が他の描画領域に対する描画となり、他人数によるインタラクティブボードの使用の際、位置に関わらず操作可能となることで操作性の向上が図れる。
【図面の簡単な説明】
【００１１】
【図１】本発明の実施形態に係る画像表示システムの概略構成図である。
【図２】本発明の実施形態に係る画像表示システムの構成を示すブロック図である。
【図３】本発明の実施形態に係る画像メモリの説明図である。
【図４】本発明の実施形態に係る画像表示システムの動作を示すフローチャートである。
【図５】本発明の実施形態に係る画像メモリの構成の説明図である。
【図６】本発明の実施形態に係る相関関係テーブルの一例の説明図である。
【図７】本発明の実施形態に係る第２描画領域の移動処理の説明図である。
【図８】本発明の実施形態に係る相関関係テーブルの一例の説明図である。
【図９】本発明の実施形態に係るオブジェクトの描画例の説明図である。
【図１０】本発明による映像信号出力装置の基本構成を示す概略ブロック図である。
【発明を実施するための形態】
【００１２】
以下、本発明の実施の形態について図面を参照しながら説明する。図１は、本発明の実施形態に係る画像表示システム１の概略構成図である。図１に示すように、本発明の実施形態に係る画像表示システム１は、投写装置１０と撮像装置２０とから構成される。図１において、投写装置１０と撮像装置２０は、別の装置である場合について図示しているが、撮像装置２０が投写装置１０に内蔵される場合もある。
【００１３】
投写装置１０は映像信号出力装置であり、スクリーン４０の投写面に投写画像を映し出す。スクリーン４０は、投写装置１０で生成された画像を表示する表示部となる。スクリーン４０には、親画面となる大画面の第１描画領域Ｐ１と子画面となる小画面の第２描画領域Ｐ２とからなるＰｉｎＰ（Picture In Picture）画像を映し出すことができる。第１描画領域Ｐ１の領域の大きさは、第２描画領域Ｐ２の領域の大きさよりも大きい。
【００１４】
ユーザは、スクリーン４０に画像を投写しながら、プレゼンテーション等を行うことができる。ここで、ユーザは、電子ペン３０でスクリーン４０上をスライスして、画像を描画できる。なお、以下、このようにして描画した画像をオブジェクトと称する。スクリーン４０上にオブジェクトを描画する場合、ユーザがスクリーン４０の投写面で電子ペン３０を動かせば、その動きに沿ってオブジェクトが描画できる。しかしながら、スクリーン４０の投写面が大きい場合、ユーザの操作が及ばない箇所が生じることがある。この場合、本実施形態では、第２描画領域Ｐ２にオブジェクトの描画を行うことで、ユーザ操作が及ばない箇所に遠隔的にオブジェクトの描画を行うことが可能である。
【００１５】
また、第２描画領域Ｐ２の位置は、電子ペン３０の操作により移動させることができる。本実施形態では、このとき、第２描画領域Ｐ２に描画したオブジェクトを、第２描画領域Ｐ２の動きに連動して移動させることができる。
【００１６】
図２は、本発明の実施形態に係る画像表示システム１の構成を示すブロック図である。図２において、投写装置１０のデータ通信部１１と、撮像装置２０のデータ通信部２５とは接続されている。
【００１７】
投写装置１０は、データ通信部１１、データ入力部１２、座標算出部１３、演算部１４、記憶部１５、画像処理部１６、表示デバイス１７、投写レンズ１８、及びペン操作検出部１９から構成される。
【００１８】
データ通信部１１は、撮像装置２０のデータ通信部２５とデータ通信を行い、投写画像の座標系が付与されたデータを受け取る。
【００１９】
データ入力部１２は、ユーザ操作による入力を受け付ける。データ入力部１２からの入力は、各種のＧＵＩ（(Graphical User Interface）による入力や、各種の入力キーやリモコンによる入力を含む。また、データ入力部１２からの入力は、ペン操作検出部１９からの入力を含む。
【００２０】
座標算出部１３は、画像メモリ（後に説明する）の座標系を算出し、投写画像の座標系と画像メモリの座標系とを対応させる。
【００２１】
演算部１４は、投写装置１０の操作に基づく各種の演算を行う。記憶部１５は、投写装置１０の操作に必要な各種のデータを記憶する。画像処理部１６は、投写面に映し出す画像データの処理を行うもので、画像メモリを含む。
【００２２】
図３は、本発明の実施形態に係る画像メモリの説明図である。図３に示すように、画像処理部１６には、画像メモリ４１ａ（第１画像メモリ）及び画像メモリ４１ｂ（第２画像メモリ）が設けられる。画像メモリ４１ａは、投写用の画像メモリである。画像メモリ４１ｂは、ユーザが描画したオブジェクトの画像を展開するオブジェクト画像用の画像メモリである。画像処理部１６は、画像メモリ４１ａの画像と画像メモリ４１ｂの画像とを合成して映し出す。また、本実施形態では、画像処理部１６は、第１描画領域Ｐ１の内周側に第２描画領域Ｐ２が配置されるＰｉｎＰ（Picture In Picture）画像を映し出す機能を有している。なお、この画像メモリ４１ａ及び画像メモリ４１ｂは、画像処理部１６に設けられる場合について説明するが、画像メモリ４１ａ及び画像メモリ４１ｂが、記憶部１５に設けられていてもよい。
【００２３】
演算部１４、記憶部１５、及び画像処理部１６は、電子ペン３０の操作により、第１描画領域Ｐ１又は第２描画領域Ｐ２の一方にオブジェクト画像の描画入力があると、第１描画領域Ｐ１又は第２描画領域Ｐ２のうちの他方において描画入力に対応する位置を求め、当該対応する位置にオブジェクトを描画するオブジェクト画像生成部として機能する。また、演算部１４、記憶部１５、及び画像処理部１６は、電子ペン３０の操作により、第２描画領域Ｐ２の移動指示入力があると、電子ペン３０の操作内容を検出した検出結果に従って第２描画領域Ｐ２の位置を移動するとともに、第２描画領域Ｐ２の移動に伴ってオブジェクト画像を移動させる描画領域移動部として機能する。
【００２４】
表示デバイス１７は、例えば液晶パネルであり、投写表示する画面の像を生成する。投写レンズ１８は、表示デバイス１７に生成された画像をレンズを使ってスクリーン４０上に拡大投写する。
【００２５】
ペン操作検出部１９は、電子ペン３０からの操作入力を受け付ける。電子ペン３０は、スクリーン４０の画面上で入力操作を行う入力操作部として機能する。電子ペン３０としては、赤外線と超音波を用いて、ユーザが電子ペン３０で指示したスクリーン４０の投写面の座標を検出するものが用いられる。例えば、電子ペン３０から赤外線と超音波を同時に出力し、この赤外線と超音波を検出すると、電子ペン３０からの距離に応じて、赤外線と超音波の検出に時間差が生じる。したがって、例えばスクリーン４０の４頂点に赤外線及び超音波の検出器を設け、赤外線と超音波の検出の時間差を検出すれば、電子ペン３０とスクリーン４０の各頂点との間の距離が検出でき、これにより、電子ペン３０の座標が求められる。ペン操作検出部１９は、このような原理に基づいて、ユーザが電子ペン３０で指示したスクリーン４０の投写面の座標を検出する。
【００２６】
なお、この例では、電子ペン３０を用いてユーザの描画を検出しているが、スクリーン４０上でユーザが座標を指示できれる入力デバイスであれば、どのようなものを用いてもよい。
【００２７】
また、投写装置１０のデータ通信部１１、データ入力部１２、座標算出部１３、演算部１４、画像処理部１６は、例えばＣＰＵ（中央処理装置）等の処理装置若しくは専用の電子回路で構成されてよい。記憶部１５としては、例えば、半導体記憶装置、磁気記憶装置等であってもよい。
【００２８】
撮像装置２０は、撮像部２１、画像処理部２２、座標算出部２３、記憶部２４、及びデータ通信部２５から構成される。
【００２９】
撮像部２１は、イメージセンサを含み、スクリーン４０の表示画像を撮像する。画像処理部２２は、撮像部２１で撮像された画像の処理を行う。
【００３０】
座標算出部２３は、撮像部２１で撮像された画像に対して、投写画像の座標系を付与する。記憶部２４は、投写画像の座標系が付与された画像を一時保存する。
【００３１】
データ通信部２５は、投写装置１０のデータ通信部１１とデータ通信を行い、投写画像の座標系が付与されたデータを送信する。
【００３２】
なお、撮像装置２０のデータ通信部２５、座標算出部２３、画像処理部２２は、例えばＣＰＵ（中央処理装置）等の処理装置若しくは専用の電子回路で構成されてよい。記憶部２４としては、例えば、半導体記憶装置、磁気記憶装置等であってもよい。
【００３３】
本実施形態では、投写装置１０は、表示デバイス１７及び投写レンズ１８により生成された投写画像を、スクリーン４０に投写する。スクリーン４０に画像が投写された後、ユーザからデータ入力部１２にキャリブレーション実行命令が入力されると、撮像装置２０は、スクリーン４０の投写画像を撮像し、座標算出部２３により座標系を作成して記憶部２４に保存する。撮像装置２０と投写装置１０とが通信を行い、作成した座標系を撮像装置２０のデータ通信部２５から投写装置１０のデータ通信部１１に伝送する。投写装置１０において、座標算出部１３、演算部１４、及び画像処理部１６は、伝送されてきた座標系を、投写する画像メモリの座標系と関連付けて保存する。以上により、画像メモリの座標系と、投写された画像における座標系間の相関関係が構築される。
【００３４】
次に、ユーザが電子ペン３０を操作すると、ペン操作検出部１９はユーザが電子ペン３０で操作した座標値を特定する。そして、演算部１４は、操作の内容が第２描画領域Ｐ２の移動か、オブジェクトの描画操作かを判定する。第２描画領域Ｐ２の移動の操作の場合、演算部１４は、既画オブジェクトの調査を行い、存在すれば移動の方向と移動量を算出の後、第２描画領域Ｐ２とオブジェクトを電子ペン３０で指示された移動量と方向に調整する。第１描画領域Ｐ１へのオブジェクトの描画操作の場合には、演算部１４は、第１描画領域Ｐ１における電子ペン３０で指示された位置にオブジェクトを描画するとともに、第２描画領域Ｐ２における対応する座標位置にオブジェクトを縮小して描画する。第２描画領域Ｐ２へのオブジェクトの描画操作の場合には、第２描画領域Ｐ２における電子ペン３０で指示された位置にオブジェクトを描画するとともに、第１描画領域Ｐ１における対応する座標位置にオブジェクトを拡大して描画する。
【００３５】
図４は、本発明の実施形態に係る画像表示システム１の動作を示すフローチャートである。このフローチャートを参照しながら、本発明の実施形態に係る画像表示システム１での処理について説明する。
【００３６】
（ステップＳ１０１）ユーザは、例えばＧＵＩ（Graphical User Interface）により投写装置１０を描画モードに選択し、ステップＳ１０２に処理を進める。
【００３７】
（ステップＳ１０２）投写装置１０はスクリーン４０に画像を投写し、撮像装置２０でこの投写画像を撮像して、キャリブレーションを実施する。キャリブレーションは、投写画面上での座標系と、投写装置１０の画像メモリ（画像メモリ４１ａ）での座標系とを関連させる処理である。キャリブレーション処理では、投写装置１０は、第１描画領域Ｐ１と第２描画領域Ｐ２を含むＰｉｎＰの画像をスクリーン４０に投写する。撮像装置２０は、スクリーン４０の投写画像を撮像する。撮像装置２０は、座標算出部２３により投写画像に対して投写画面上での座標系を付与し、投写装置１０に伝送する。投写装置１０にいおて、座標算出部１３、演算部１４、及び画像処理部１６は、投写画面上での座標系と画像メモリ４１ａ上での座標系とを関連させる。キャリブレーション処理が終了したら、処理をステップＳ１０３に進める。
【００３８】
（ステップＳ１０３）演算部１４は、第１描画領域Ｐ１を基準としたときの第２描画領域Ｐ２の範囲及び位置を、線形補間を実施することで算出する。例えば第１描画領域Ｐ１及び第２描画領域Ｐ２の形状が四角形である場合、第１描画領域Ｐ１における４頂点の座標値と第２描画領域Ｐ２における４頂点の座標値とを検出し、第１描画領域Ｐ１における４頂点の座標値と第２描画領域Ｐ２における４頂点の座標値とを対応させ、この対応関係をもとに線形補間を実施することで、第１描画領域Ｐ１における第２描画領域Ｐ２の範囲及び位置が算出できる。第２描画領域Ｐ２の範囲及び位置の座標を算出した後、画像処理部１６は、第１描画領域Ｐ１と第２描画領域Ｐ２とを合成したＰｉｎＰ画像を作成する。そして、処理をステップＳ１０４に進める。
【００３９】
（ステップＳ１０４）演算部１４は、第２描画領域Ｐ２を包含する第１描画領域Ｐ１の画素数のスケール（縦×横）を算出し、同じスケールのオブジェクト描画レイヤを作成して、画像メモリ４１ｂに展開する。
【００４０】
図５は、本発明の実施形態に係る画像メモリの構成の説明図である。前述したように、画像メモリ４１ａは、投写装置１０で投写表示する投写画像用のメモリである。この画像メモリ４１ａの座標系は、前述したキャリブレーションにより、投写画像の座標系と一致している。画像メモリ４１ａの座標系には、第１描画領域Ｐ１と第２描画領域Ｐ２が含まれている。画像メモリ４１ｂは、オブジェクト描画レイヤのメモリである。ステップＳ１０４の処理では、図５に示すように、画像メモリ４１ａのスケール（縦×横）と同一となるように、オブジェクト描画レイヤの画像メモリ４１ｂの座標系が展開される。また、オブジェクト描画レイヤの画像メモリ４１ｂにも、画像メモリ４１ａと同様に、第１描画領域Ｐ１と第２描画領域Ｐ２が設定される。オブジェクト描画レイヤとなる画像メモリ４１ｂが生成されたら、処理をステップＳ１０５に進める。
【００４１】
（ステップＳ１０５）投写装置１０の演算部１４は、第１描画領域Ｐ１の座標と、第２描画領域Ｐ２の座標の関係を示す相関関係テーブルを生成し、この相関関係テーブルを記憶部１５に保存する。
【００４２】
図６は、本発明の実施形態に係る相関関係テーブルの一例の説明図である。図５に示したように、第１描画領域Ｐ１には座標ポイントＡ〜Ｉが設定される。そして、第２描画領域Ｐ２において、第１描画領域Ｐ１における座標ポイントＡ〜Ｉに対応する座標ポイントの座標が求められる。この対応関係に基づいて、図６に示すように、第１描画領域Ｐ１の座標と第２描画領域Ｐ２の座標の関係を示す相関関係テーブルが生成される。
【００４３】
（ステップＳ１０６）ステップＳ１０５が完了した時点で、描画モードのスタンバイ完了となる。スタンバイモードが完了すると、投写装置１０は、投写画像用のメモリである画像メモリ４１ａの画像と、オブジェクト描画レイヤのメモリである画像メモリ４１ｂの画像との合成画像を生成し、スクリーン４０に投写する。
【００４４】
（ステップＳ１０７）スクリーン４０に画像を投写しながら、ユーザは、電子ペン３０でスクリーン４０上を操作することで、第２描画領域Ｐ２を移動させたり、オブジェクトを描画したりできる。ユーザの操作が入力されるまでは、待機となる。
【００４５】
以下、ユーザが電子ペン３０を操作して、第２描画領域Ｐ２を移動させる場合の処理について説明する。
【００４６】
（ステップＳ１０８）投写装置１０の演算部１４は、ユーザの操作を検出したか否かを判定する。
【００４７】
（ステップＳ１０９）ユーザの操作を検出した場合（ステップＳ１０８：Ｙｅｓ）、ユーザの操作が第２描画領域Ｐ２の移動か、オブジェクトの描画操作かを判定する。移動操作の実行ジェスチャーは、例えば、描画領域の枠に特定のアイコンを有しておき、アイコンにタッチする等が好ましい。ユーザの操作が第２描画領域Ｐ２の移動の場合には（ステップＳ１０９：Ｙｅｓ）、処理をステップＳ１１０に進める。
【００４８】
（ステップＳ１１０）ステップＳ１０９で、ユーザの操作が第２描画領域Ｐ２の移動であると判定された場合、演算部１４は、第２描画領域Ｐ２に描画済みのオブジェクトがあるかを検出する。この検出方法としては、例えばオブジェクト描画レイヤの画像メモリ４１ｂ中において、第２描画領域Ｐ２の座標範囲に描画オブジェクトのデータがあるか否かを検出することが考えられる。描画オブジェクトのデータが検出された場合には（ステップＳ１１０：Ｙｅｓ）、処理をステップＳ１１１に進める。描画オブジェクトが検出されない場合には（ステップＳ１１０：Ｎｏ）、処理をステップＳ１１２に進める。なお、第２描画領域Ｐ２に描画済みのオブジェクトがあるかの検出方法は、その他、複数の方法が考えられる。
【００４９】
（ステップＳ１１１）ステップＳ１１０で描画オブジェクトが検出された場合（ステップＳ１１０：Ｙｅｓ）、演算部１４は、画像メモリ４１ａ及び画像メモリ４１ｂにおける第２描画領域Ｐ２を移動対象として、ユーザが電子ペン３０を移動させた方向及び移動量に対応して、第２描画領域Ｐ２を移動させる。更に、描画オブジェクトが検出された場合、画像メモリ４１ｂの第２描画領域Ｐ２中のオブジェクトのデータを、ユーザが電子ペン３０を移動させた方向及び移動量に対応して、第２描画領域Ｐ２と同時に移動させる。
【００５０】
（ステップＳ１１２）ステップＳ１１０で描画オブジェクトが検出されない場合（ステップＳ１１０：Ｎｏ）、演算部１４は、画像メモリ４１ａ及び画像メモリ４１ｂにおける第２描画領域Ｐ２だけを移動対象とし、ユーザが電子ペン３０を移動させた方向及び移動量に対応して、第２描画領域Ｐ２のみを移動させる。
【００５１】
図７は、本発明の実施形態に係る第２描画領域Ｐ２の移動処理の説明図である。図７において、電子ペン３０により、第２描画領域Ｐ２を破線の位置から矢印に示す方向に移動させたとする。このとき、第２描画領域Ｐ２には、オブジェクト５０が含まれていたとする。この場合、本実施形態では、第２描画領域Ｐ２の移動に伴って、オブジェクト５０も同時に移動していく。
【００５２】
（ステップＳ１１３）ステップＳ１１１、ステップＳ１１２による移動処理中、演算部１４は、移動方向を座標値から算出し、移動量を画素数から算出している。この算出処理は移動処理中において常時実施される。
【００５３】
（ステップＳ１１４）演算部１４は、相関関係テーブルの第２描画領域Ｐ２の座標値を、移動した方向と距離に応じて較正しながら、処理をステップＳ１１５に進める。
【００５４】
（ステップＳ１１５）演算部１４は、ステップＳ１１４による較正処理後、第２描画領域Ｐ２の移動が継続されているか判定を行う。移動中であれば（ステップＳ１１５：Ｎｏ）、ステップＳ１１３の移動処理に回帰する。
【００５５】
（ステップＳ１１６）移動処理が完了したことを検出すれば（ステップＳ１１５：Ｙｅｓ）、演算部１４は、較正した相関関係テーブルを記憶部１５に保存して、処理をステップＳ１０７に戻す。
【００５６】
図８は、本発明の実施形態に係る相関関係テーブルの一例の説明図である。較正前の相関関係テーブルが図６に示したものであったとする。そして、第２描画領域Ｐ２を水平方向に移動させたとする。この場合、移動量だけ第２描画領域Ｐ２の座標が較正され、相関関係テーブルは、図８に示すようになる。
【００５７】
次に、ユーザが電子ペン３０を操作して、オブジェクトを描画させる場合の処理について説明する。
【００５８】
（ステップＳ１１７）ステップＳ１０９により描画操作であると判定された場合（ステップＳ１１９：Ｎｏ）、演算部１４は、ユーザの描画操作を検出して、処理をステップＳ１１８に進める。
【００５９】
（ステップＳ１１８）演算部１４は、描画操作があった座標が第１描画領域Ｐ１か第２描画領域Ｐ２かの何れの描画領域であるか判定する。
【００６０】
（ステップＳ１１９）演算部１４は、第１描画領域Ｐ１又は第２描画領域Ｐ２のうち、ステップＳ１１８で操作があったと判定されたと該当する描画領域に、描画処理を行い、ステップＳ１２０に処理を進める。すなわち、ユーザが第１描画領域Ｐ１にオブジェクトを描画している場合には、第１描画領域Ｐ１においてユーザが電子ペン３０を操作している位置に、オブジェクトを描画させる。ユーザが第２描画領域Ｐ２にオブジェクトを描画している場合には、第２描画領域Ｐ２においてユーザが電子ペン３０を操作している位置に、オブジェクトを描画させる。
【００６１】
（ステップＳ１２０）演算部１４は、相関関係テーブルを参照し、遠隔操作に当たるもう一方の描画領域への描画を開始する。すなわち、ユーザが第１描画領域Ｐ１にオブジェクトを描画している場合には、図６に示した相関関係テーブルから、ユーザが電子ペン３０を操作している位置に対応する第２描画領域Ｐ２での座標を求め、その位置からオブジェクトの描画を開始する。ユーザが第２描画領域Ｐ２にオブジェクトを描画している場合には、図６に示した相関関係テーブルから、ユーザが電子ペン３０を操作している位置に対応する第１描画領域Ｐ１での座標を求め、その位置からオブジェクトの描画を開始する。
【００６２】
（ステップＳ１２１）演算部１４は、相関関係テーブルを参照して、第１描画領域Ｐ１と第２描画領域Ｐ２のスケール比を算出し、オブジェクトのサイズを調整の後、他方の描画領域にオブジェクトの描画を行う。すなわち、ユーザが第１描画領域Ｐ１にオブジェクトを描画している場合には、第１描画領域Ｐ１と第２描画領域Ｐ２とのスケール比だけオブジェクトの大きさを縮小して、第２描画領域Ｐ２にオブジェクトを描画する。ユーザが第２描画領域Ｐ２にオブジェクトを描画している場合には、第１描画領域Ｐ１と第２描画領域Ｐ２とのスケール比だけオブジェクトの大きさを拡大して、第１描画領域Ｐ１にオブジェクトを描画する。オブジェクトの描画が完了すれば、処理をステップＳ１０７に回帰する。
【００６３】
図９は、本発明の実施形態に係るオブジェクトの描画例の説明図である。図９に示すように、第１描画領域Ｐ１を電子ペン３０で直接操作してオブジェクト５１ａを描画すると、第１描画領域Ｐ１にそのオブジェクト５１ａが描画されるとともに、第２描画領域Ｐ２の対応する位置に、そのオブジェクト５１ｂがサイズ調整されて描画される。また、第２描画領域Ｐ２に電子ペン３０でオブジェクト５２ａを描画すると、第２描画領域Ｐ２にそのオブジェクト５２ａが描画されるとともに、第１描画領域Ｐ１の対応する位置に、そのオブジェクト５２ｂがサイズ調整されて描画される。
【００６４】
図１０は、本発明による映像信号出力装置１００の基本構成を示す概略ブロック図である。本発明による映像信号出力装置１００は、表示部１０１、入力操作部１０２、オブジェクト生成部１０３、及び描画領域移動部１０４を基本構成とする。表示部１０１は、大画面となる第１描画領域Ｐ１０１と小画面となる第２描画領域Ｐ１０２とからなる画面を表示する。入力操作部１０２は、表示部１０１の画面上で入力操作を行う。オブジェクト生成部１０３は、入力操作部１０２の操作内容を検出した検出結果に基づいて、第１描画領域Ｐ１０１又は第２描画領域Ｐ１０２の一方にオブジェクト画像１０５ａの描画入力があると、第１描画領域Ｐ１０１又は第２描画領域Ｐ１０２のうちの他方において描画入力に対応する位置を求め、当該対応する位置にオブジェクト画像１０５ｂを描画する。描画領域移動部１０４は、入力操作部１０２の操作内容を検出した検出結果に基づいて、第２描画領域Ｐ１０２の移動指示入力があると、入力操作部１０２の操作内容を検出した検出結果に従って第２描画領域Ｐ１０２の位置を移動するとともに、第２描画領域Ｐ１０２の移動に伴ってオブジェクト画像１０５ｂを移動させる。入力操作部１０２の操作内容の検出は、例えば、入力操作部１０２から送信される検出結果を取得することで検出してもよい。このような検出結果の取得は、オブジェクト生成部１０３が行ってもよいし、入力操作部１０２から送信される操作内容を受信する受信部を、映像信号出力創始１００に設けるようにしてもよい。
【００６５】
上述した実施形態における画像表示システム１の全部または一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ等のプログラマブルロジックデバイスを用いて実現されるものであってもよい。
【００６６】
以上、この発明の実施形態について図面を参照して詳述してきたが、具体的な構成はこの実施形態に限られるものではなく、この発明の要旨を逸脱しない範囲の設計等も含まれる。
【符号の説明】
【００６７】
１０… 投写装置、１１…データ通信部、１３…座標算出部、１４…演算部、１５…記憶部、４１ａ，４１ｂ…画像メモリ、１６…画像処理部、１７…表示デバイス、１８…投写レンズ、３０…電子ペン、４０…スクリーン、１０１…表示部、１０２…入力操作部、１０３…オブジェクト生成部
【図１】
2020060829.tif 000003
【図２】
2020060829.tif 000004
【図３】
2020060829.tif 000005
【図４】
2020060829.tif 000006
【図５】
2020060829.tif 000007
【図６】
2020060829.tif 000008
【図７】
2020060829.tif 000009
【図８】
2020060829.tif 000010
【図９】
2020060829.tif 000011
【図１０】
2020060829.tif 000012